(57)【要約】【課題】所定の目的に応じて過去の食事内容を参酌して、その後の食事のメニューを決めることができるパーソナル食事管理システムなどを提供することを目的とする。【解決手段】個人の食事履歴、ユーザ状態、食事ルールをあらかじめ、あるいは順次、携帯端末１０の記憶手段に格納し、メニュー情報サーバ４０など外部との通信により入手したメニュー情報と記憶されている食事履歴、ユーザ状態、食事ルールから推奨すべき食事のメニューを選択して、ユーザ２０に提示する。メニューの決定に加えて、レストランでの食事のオーダーや、代金決済などの事務や金銭管理をも実行可能である。さらに、選択して提示されたメニューをオーダーした場合、食事履歴を更新し、これを所定の医療機関などに送信して、新たな食事ルールを得ることも可能である。【選択図】        図１
2004310205.tif 000002
【特許請求の範囲】
【請求項１】
個人の食事履歴、ユーザ状態、食事ルールを格納する記憶手段と、
外部との通信手段と、
前記通信手段により外部より入手したメニュー情報と前記食事履歴、ユーザ状態、食事ルールから推奨すべき食事のメニューを選択するメニュー選択手段と、
前記選択された推奨すべき食事のメニューを提示する提示手段とを、
有するパーソナル食事管理システム用携帯端末。
【請求項２】
個人の食事履歴、ユーザ状態、食事ルールを格納する記憶手段を着脱自在に受け入れる記憶手段取り付け部と、
外部との通信手段と、
前記通信手段により外部より入手したメニュー情報と前記食事履歴、ユーザ状態、食事ルールから推奨すべき食事のメニューを選択するメニュー選択手段と、
前記選択された推奨すべき食事のメニューを提示する提示手段とを、
有するパーソナル食事管理システム用携帯端末。
【請求項３】
前記選択された推奨すべき食事のメニューを前記通信手段を介して外部の所定のサーバに送信し、オーダーを行う手段を更に有する請求項１又は２に記載のパーソナル食事管理システム用携帯端末。
【請求項４】
前記提示手段により提示された食事のメニューからユーザが希望するメニューを選択するための入力手段を更に有する請求項１又は２に記載のパーソナル食事管理システム用携帯端末。
【請求項５】
前記入力手段により選択されたメニューを前記通信手段を介して外部の所定のサーバに送信し、オーダーを行う手段を更に有する請求項４に記載のパーソナル食事管理システム用携帯端末。
【請求項６】
前記オーダー後、代金の決済処理を行う手段を更に有する請求項３又は５に記載のパーソナル食事管理システム用携帯端末。
【請求項７】
前記オーダー後、オーダーしたメニューのメニュー情報から前記記憶手段に記憶されている前記食事履歴とユーザ状態を更新する手段を更に有する請求項３、５、６のいずれか１つに記載のパーソナル食事管理システム用携帯端末。
【請求項８】
前記外部との通信手段は、レストランのサーバと通信可能に構成され、前記通信手段とは別の通信手段であって、前記レストランに配された端末と通信して前記サーバのＵＲＬを入手するための第２通信手段を更に有する請求項１から７のいずれか１つに記載のパーソナル食事管理システム用携帯端末。
【請求項９】
前記メニュー選択手段が、ユーザの健康管理、病気治療、食品アレルギー対策、ダイエット、身体形成のいずれか又は複数を目的として、所定のプログラムにより前記推奨すべき食事のメニューを選択するよう構成されている請求項１から８のいずれか１つに記載のパーソナル食事管理システム用携帯端末。
【請求項１０】
前記所定のプログラムが前記記憶手段にあらかじめ記憶されている請求項９に記載のパーソナル食事管理システム用携帯端末。
【請求項１１】
個人の食事履歴、ユーザ状態、食事ルールを格納する記憶手段を着脱自在に受け入れる記憶手段取り付け部と、外部との通信手段と、前記通信手段により外部より入手したメニュー情報と前記食事履歴、ユーザ状態、食事ルールから推奨すべき食事のメニューを選択するメニュー選択手段と、前記選択された推奨すべき食事のメニューを提示する提示手段とを有するパーソナル食事管理システム用携帯端末に用いる記憶媒体であって、ユーザの健康管理、病気治療、食品アレルギー対策、ダイエット、身体形成のいずれか又は複数を目的として、メニュー選択を行うための所定のプログラムがあらかじめ格納されている記憶媒体。
【請求項１２】
前記記憶媒体が、モバイルＥＣカードである請求項１１に記載の記憶媒体。
【請求項１３】
食事を提供する施設に配され、前記施設が提供する食事のメニューに関する情報を格納する記憶手段と、前記記憶手段に格納されている前記食事に関するメニュー情報を外部に送信する第１通信手段とを有するサーバと、
個人の食事履歴、ユーザ状態、食事ルールを格納する記憶手段と、
前記サーバとの通信を行う第２通信手段と、
前記第２通信手段により前記サーバより入手した前記メニュー情報と前記食事履歴、ユーザ状態、食事ルールから推奨すべき食事のメニューを選択するメニュー選択手段と、前記選択された推奨すべき食事のメニューを提示する提示手段とを有する携帯端末とを、
有するパーソナル食事管理システム。
【請求項１４】
食事を提供する施設に配され、前記施設が提供する食事のメニューに関する情報を格納する記憶手段と、前記記憶手段に格納されている前記食事に関するメニュー情報を外部に送信する第１通信手段とを有するサーバと、
個人の食事履歴、ユーザ状態、食事ルールを格納する記憶手段を着脱自在に受け入れる記憶手段取り付け部と、
前記サーバとの通信を行う第２通信手段と、
前記第２通信手段により前記サーバより入手した前記メニュー情報と前記食事履歴、ユーザ状態、食事ルールから推奨すべき食事のメニューを選択するメニュー選択手段と、前記選択された推奨すべき食事のメニューを提示する提示手段とを有する携帯端末とを、
有するパーソナル食事管理システム。
【請求項１５】
食事を提供する前記施設に配され、前記サーバのＵＲＬを格納する記憶手段と、前記記憶手段から読み出された前記ＵＲＬを前記携帯端末に送信する第３通信手段とを有する端末を更に有し、前記携帯端末が、前記第３通信手段と通信するための第４通信手段を有している請求項１３又は１４に記載のパーソナル食事管理システム。
【請求項１６】
前記携帯端末が、前記選択された推奨すべき食事のメニューを前記第２通信手段を介して前記サーバに送信し、オーダーを行う手段を更に有する請求項１３から１５のいずれか１つに記載のパーソナル食事管理システム。
【請求項１７】
前記携帯端末が、前記提示手段により提示された食事のメニューからユーザが希望するメニューを選択するための入力手段を更に有する請求項１３から１５のいずれか１つに記載のパーソナル食事管理システム。
【請求項１８】
前記携帯端末が、前記入力手段により選択されたメニューを前記通信手段を介して外部の所定のサーバに送信し、オーダーを行う手段を更に有する請求項１７に記載のパーソナル食事管理システム。
【請求項１９】
前記携帯端末が、前記オーダー後、代金の決済処理を行う手段を更に有する請求項１６又は１８に記載のパーソナル食事管理システム。
【請求項２０】
前記携帯端末が、前記オーダー後、オーダーしたメニューのメニュー情報から前記記憶手段に記憶されている前記食事履歴とユーザ状態を更新する手段を更に有する請求項１６又は１８に記載のパーソナル食事管理システム。
【請求項２１】
前記メニュー選択手段が、ユーザの健康管理、病気治療、食品アレルギー対策、ダイエット、身体形成のいずれか又は複数を目的として、所定のプログラムにより前記推奨すべき食事のメニューを選択するよう構成されている請求項１３から２０のいずれか１つに記載のパーソナル食事管理システム。
【請求項２２】
前記所定のプログラムが前記記憶手段にあらかじめ記憶されている請求項２１に記載のパーソナル食事管理システム。
【請求項２３】
前記携帯端末が、前記オーダー後、前記更新されて前記記憶手段に記憶されている前記食事履歴を医療機関のサーバに送信し、前記医療機関から得られる新しい食事ルールを受信し、前記記憶手段に記憶されている前記食事ルールを前記新しい食事ルールにより更新する手段を更に有する請求項２０に記載のパーソナル食事管理システム。
【発明の詳細な説明】
【０００１】
【発明の属する技術分野】
本発明は、個人単位の食事管理に関し、特に健康維持や食餌療法、ダイエットなど特定の目的を持って食事の管理をするための携帯端末及びこれを含むパーソナル食事管理システム並びそれらに用いる記憶媒体に関する。
【０００２】
【従来の技術】
ヒトの健康維持や食餌療法、ダイエットなど様々な目的で、毎食の食事の内容、すなわち摂取品目と、その量を定めるための種々の方法が知られている。これらの従来の方法では、目的に応じて、毎食摂取すべき食事の品目と、その量からなる毎食のメニューを定め、対象となる人に提供するものが主である（例えば、下記の特許文献１参照）。
【０００３】
【特許文献１】
特開２００２−２９７８９２号公報（要約書）
【０００４】
【発明が解決しようとする課題】
しかし、従来の手法では、単に目的とする体重や健康状態とすべく、今後の食事の管理プランをある時点で示すものであって、過去の食事内容を参酌して次の、あるいは、その次の食事のメニューを決めているわけではない。さらに、従来の手法では、いったん作成したメニュープラン通りに食事がなされなかったときのことは考慮されていないので、プラン通りに食事を採ることができなかった場合には、その時点でプランから逸脱してしまい、目的を達成することができないという不具合があった。また、従来の手法は、単に食事のメニューを提供するに過ぎず、例えばレストランでの食事のオーダーや、代金決済などの事務や金銭管理は、個人がレストランの店員との対応で実行するしか方法がなく、一方食事のオーダーや、代金決済などを電子端末などを用いて行う方法も種々開発されているが、これらの従来の端末は、単にかかる事務や金銭管理を行うものであって、メニュープランを作成するものではなかった。
【０００５】
したがって、本発明は、所定の目的に応じて過去の食事内容を参酌して、その後の食事のメニューを決めることができるパーソナル食事管理システム用携帯端末及びこれを含むパーソナル食事管理システム並びそれらに用いる記憶媒体を提供することを目的とする。また、本発明の他の態様は、上記メニューの決定に加えて、レストランでの食事のオーダーや、代金決済などの事務や金銭管理をも実行することが可能なパーソナル食事管理システム用携帯端末及びこれを含むパーソナル食事管理システム並びそれらに用いる記憶媒体を提供することを目的とする。
【０００６】
【課題を解決するための手段】
上記目的を達成するため、本発明では個人の食事履歴、ユーザ状態、食事ルールをあらかじめ、あるいは順次記憶手段に格納し、外部との通信により外部より入手したメニュー情報と記憶されている食事履歴、ユーザ状態、食事ルールから推奨すべき食事のメニューを選択して、ユーザに提示するようにしたものである。
【０００７】
すなわち本発明によれば、個人の食事履歴、ユーザ状態、食事ルールを格納する記憶手段と、
外部との通信手段と、
前記通信手段により外部より入手したメニュー情報と前記食事履歴、ユーザ状態、食事ルールから推奨すべき食事のメニューを選択するメニュー選択手段と、
前記選択された推奨すべき食事のメニューを提示する提示手段とを、
有するパーソナル食事管理システム用携帯端末が提供される。
【０００８】
この構成により、所定の目的に応じて過去の食事内容を参酌して、その後の食事のメニューを決めることができる。
【０００９】
また本発明によれば、個人の食事履歴、ユーザ状態、食事ルールを格納する記憶手段を着脱自在に受け入れる記憶手段取り付け部と、
外部との通信手段と、
前記通信手段により外部より入手したメニュー情報と前記食事履歴、ユーザ状態、食事ルールから推奨すべき食事のメニューを選択するメニュー選択手段と、
前記選択された推奨すべき食事のメニューを提示する提示手段とを、
有するパーソナル食事管理システム用携帯端末が提供される。
【００１０】
この構成により、所定の目的に応じて過去の食事内容を参酌して、その後の食事のメニューを決めることができ、また記憶手段を任意に取り替えることが可能であるので、異なる食事ルールに変更したり、記憶手段を取り外して、パソコンに接続して、前記食事履歴やユーザ状態を手動で変更したりすることができる。
【００１１】
また本発明によれば、前記選択された推奨すべき食事のメニューを前記通信手段を介して外部の所定のサーバに送信し、オーダーを行う手段を更に有する請求項１又は２に記載のパーソナル食事管理システム用携帯端末が提供される。
【００１２】
この構成により、料理のオーダーを自動化することができ、その後の各情報の更新などの自動化につながる。
【００１３】
また本発明によれば、前記提示手段により提示された食事のメニューからユーザが希望するメニューを選択するための入力手段を更に有する請求項１又は２に記載のパーソナル食事管理システム用携帯端末が提供される。
【００１４】
この構成により、ユーザは希望するメニューを確認してから選択することができる。
【００１５】
また本発明によれば、前記入力手段により選択されたメニューを前記通信手段を介して外部の所定のサーバに送信し、オーダーを行う手段を更に有する請求項４に記載のパーソナル食事管理システム用携帯端末が提供される。
【００１６】
この構成により、料理のオーダーを自動化することができ、その後の各情報の更新などの自動化につながる。
【００１７】
また本発明によれば、前記オーダー後、代金の決済処理を行う手段を更に有する請求項３又は５に記載のパーソナル食事管理システム用携帯端末が提供される。
【００１８】
この構成により、ユーザは現金による代金支払いの煩わしさから解放される。
【００１９】
また本発明によれば、前記オーダー後、オーダーしたメニューのメニュー情報から前記記憶手段に記憶されている前記食事履歴とユーザ状態を更新する手段を更に有する請求項３、５、６のいずれか１つに記載のパーソナル食事管理システム用携帯端末が提供される。
【００２０】
この構成により、毎食の食事内容を累積的に記憶して、その後のメニュー選択や食事ルールの変更などに役立てることができる。
【００２１】
また本発明によれば、前記外部との通信手段は、レストランのサーバと通信可能に構成され、前記通信手段とは別の通信手段であって、前記レストランに配された端末と通信して前記サーバのＵＲＬを入手するための第２通信手段を更に有する請求項１から７のいずれか１つに記載のパーソナル食事管理システム用携帯端末が提供される。
【００２２】
この構成により、サーバのＵＲＬを簡単に入手することができ、一々手動で入力する必要がない。
【００２３】
また本発明によれば、前記メニュー選択手段が、ユーザの健康管理、病気治療、食品アレルギー対策、ダイエット、身体形成のいずれか又は複数を目的として、所定のプログラムにより前記推奨すべき食事のメニューを選択するよう構成されている請求項１から８のいずれか１つに記載のパーソナル食事管理システム用携帯端末が提供される。
【００２４】
この構成により、ユーザの目的に応じた食事管理を行うことが可能となる。
【００２５】
また本発明によれば、前記所定のプログラムが前記記憶手段にあらかじめ記憶されている請求項９に記載のパーソナル食事管理システム用携帯端末が提供される。
【００２６】
この構成により、記憶手段を取り替えることにより、希望するプログラムにより食事の管理を行うことが可能となる。
【００２７】
また本発明によれば、個人の食事履歴、ユーザ状態、食事ルールを格納する記憶手段を着脱自在に受け入れる記憶手段取り付け部と、外部との通信手段と、前記通信手段により外部より入手したメニュー情報と前記食事履歴、ユーザ状態、食事ルールから推奨すべき食事のメニューを選択するメニュー選択手段と、前記選択された推奨すべき食事のメニューを提示する提示手段とを有するパーソナル食事管理システム用携帯端末に用いる前記記憶媒体であって、ユーザの健康管理、病気治療、食品アレルギー対策、ダイエット、身体形成のいずれか又は複数を目的として、メニュー選択を行うための所定のプログラムがあらかじめ格納されている記憶媒体が提供される。
【００２８】
この構成により、食事管理の目的別に記憶媒体を提供することができる。
【００２９】
また本発明によれば、前記記憶媒体が、モバイルＥＣカードである請求項１１に記載の記憶媒体が提供される。
【００３０】
この構成により、電子決済を行うことが可能となる。
【００３１】
また本発明によれば、食事を提供する施設に配され、前記施設が提供する食事のメニューに関する情報を格納する記憶手段と、前記記憶手段に格納されている前記食事に関するメニュー情報を外部に送信する第１通信手段とを有するサーバと、
個人の食事履歴、ユーザ状態、食事ルールを格納する記憶手段と、
前記サーバとの通信を行う第２通信手段と、
前記第２通信手段により前記サーバより入手した前記メニュー情報と前記食事履歴、ユーザ状態、食事ルールから推奨すべき食事のメニューを選択するメニュー選択手段と、前記選択された推奨すべき食事のメニューを提示する提示手段とを有する携帯端末とを、
有するパーソナル食事管理システムが提供される。
【００３２】
この構成により、所定の目的に応じて過去の食事内容を参酌して、その後の食事のメニューを決めることができる。
【００３３】
また本発明によれば、食事を提供する施設に配され、前記施設が提供する食事のメニューに関する情報を格納する記憶手段と、前記記憶手段に格納されている前記食事に関するメニュー情報を外部に送信する第１通信手段とを有するサーバと、
個人の食事履歴、ユーザ状態、食事ルールを格納する記憶手段を着脱自在に受け入れる記憶手段取り付け部と、
前記サーバとの通信を行う第２通信手段と、
前記第２通信手段により前記サーバより入手した前記メニュー情報と前記食事履歴、ユーザ状態、食事ルールから推奨すべき食事のメニューを選択するメニュー選択手段と、前記選択された推奨すべき食事のメニューを提示する提示手段とを有する携帯端末とを、
有するパーソナル食事管理システムが提供される。
【００３４】
この構成により、所定の目的に応じて過去の食事内容を参酌して、その後の食事のメニューを決めることができ、また記憶手段を任意に取り替えることが可能であるので、異なる食事ルールに変更したり、記憶手段を取り外して、パソコンに接続して、前記食事履歴やユーザ状態を手動で変更したりすることができる。
【００３５】
また本発明によれば、食事を提供する前記施設に配され、前記サーバのＵＲＬを格納する記憶手段と、前記記憶手段から読み出された前記ＵＲＬを前記携帯端末に送信する第３通信手段とを有する端末を更に有し、前記携帯端末が、前記第３通信手段と通信するための第４通信手段を有している請求項１３又は１４に記載のパーソナル食事管理システムが提供される。
【００３６】
この構成により、サーバのＵＲＬを簡単に入手することができ、一々手動で入力する必要がない。
【００３７】
また本発明によれば、前記携帯端末が、前記選択された推奨すべき食事のメニューを前記第２通信手段を介して前記サーバに送信し、オーダーを行う手段を更に有する請求項１３から１５のいずれか１つに記載のパーソナル食事管理システムが提供される。
【００３８】
この構成により、料理のオーダーを自動化することができ、その後の各情報の更新などの自動化につながる。
【００３９】
また本発明によれば、前記携帯端末が、前記提示手段により提示された食事のメニューからユーザが希望するメニューを選択するための入力手段を更に有する請求項１３から１５のいずれか１つに記載のパーソナル食事管理システムが提供される。
【００４０】
この構成により、ユーザは希望するメニューを確認してから選択することができる。
【００４１】
また本発明によれば、前記携帯端末が、前記入力手段により選択されたメニューを前記通信手段を介して外部の所定のサーバに送信し、オーダーを行う手段を更に有する請求項１７に記載のパーソナル食事管理システムが提供される。
【００４２】
この構成により、料理のオーダーを自動化することができ、その後の各情報の更新などの自動化につながる。
【００４３】
また本発明によれば、前記携帯端末が、前記オーダー後、代金の決済処理を行う手段を更に有する請求項１６又は１８に記載のパーソナル食事管理システムが提供される。
【００４４】
この構成により、ユーザは現金による代金支払いの煩わしさから解放される。
【００４５】
また本発明によれば、前記携帯端末が、前記オーダー後、オーダーしたメニューのメニュー情報から前記記憶手段に記憶されている前記食事履歴とユーザ状態を更新する手段を更に有する請求項１６又は１８に記載のパーソナル食事管理システムが提供される。
【００４６】
この構成により、毎食の食事内容を累積的に記憶して、その後のメニュー選択や食事ルールの変更などに役立てることができる。
【００４７】
また本発明によれば、前記メニュー選択手段が、ユーザの健康管理、病気治療、食品アレルギー対策、ダイエット、身体形成のいずれか又は複数を目的として、所定のプログラムにより前記推奨すべき食事のメニューを選択するよう構成されている請求項１３から２０のいずれか１つに記載のパーソナル食事管理システムが提供される。
【００４８】
この構成により、ユーザの目的に応じた食事管理を行うことが可能となる。
【００４９】
また本発明によれば、前記所定のプログラムが前記記憶手段にあらかじめ記憶されている請求項２１に記載のパーソナル食事管理システムが提供される。
【００５０】
この構成により、記憶手段を取り替えることにより、希望するプログラムにより食事の管理を行うことが可能となる。
【００５１】
また本発明によれば、前記携帯端末が、前記オーダー後、前記更新されて前記記憶手段に記憶されている前記食事履歴を医療機関のサーバに送信し、前記医療機関から得られる新しい食事ルールを受信し、前記記憶手段に記憶されている前記食事ルールを前記新しい食事ルールにより更新する手段を更に有する請求項２０に記載のパーソナル食事管理システムが提供される。
【００５２】
この構成により、食事をする度に、あるいは比較的短期間で食事ルールを最適に更新することが可能となる。
【００５３】
【発明の実施の形態】
以下、図面を参照して本発明の好ましい実施の形態について説明する。図１は本発明のパーソナル食事管理システムの好ましい実施の形態のブロック図である。このパーソナル食事管理システムは、ユーザ２０が使用する携帯端末１０とローカル環境において携帯端末１０にメニュー情報を提供するメニュー情報端末３０と、インターネット７０及びモバイルネットワーク８０を介して携帯端末１０にメニュー情報を提供するメニュー情報サーバ４０と、ローカル環境において携帯端末１０に食事ルールを提供するサービス端末６０と、インターネット７０及びモバイルネットワーク８０を介して携帯端末１０に食事管理アプリ（アプリケーションの略称）、食事管理カードアプリ、食事ルールを提供するサービスサーバ５０によって構成される。
メニュー情報端末３０は、例えばレストランの場合には、入り口や各テーブルに設置される端末であり、赤外線通信（ＩｒＤＡなど）又は非接触ＩＣカード通信、ブルートゥースなどのローカルワイヤレスインターフェイス（Ｉ／Ｆ）を介して、携帯端末１０にメニュー情報を提供する。
【００５４】
一方、メニュー情報サーバ４０は、例えば、各レストランや情報提供会社によって運営されるサーバであり、インターネット７０及びモバイルネットワーク８０を介して携帯端末１０にメニュー情報を提供する。
サービス端末６０は、例えば、キオスク端末やパーソナルコンピュータのような端末であり、ローカルワイヤレスＩ／Ｆを介して食事ルールを提供する。
サービスサーバ５０は、例えば、病院などの医療機関やパーソナル食事管理システムのサービス提供会社によって運営されるサーバであり、インターネット７０及びモバイルネットワーク８０を介して携帯端末１０に食事管理アプリ、食事管理カードアプリ、食事ルールを提供する。
【００５５】
図２は、携帯端末１０の論理ブロック図であり、携帯端末１０の動作を制御する制御部１１と、携帯端末１０への装着及び着脱が可能なモバイルＥＣカード１２と、ユーザインターフェイス（Ｉ／Ｆ）１３と、赤外線通信（ＩｒＤＡなど）又は非接触ＩＣカード通信、ブルートゥースなどのローカルワイヤレスインターフェイス（Ｉ／Ｆ）１４と、携帯電話又は無線ＬＡＮに代表される無線通信機能であるリモートワイヤレスインターフェイス（Ｉ／Ｆ）１５によって構成される。
【００５６】
ここで、携帯端末１０のハードウェア構造について図３により、さらに詳しく説明する。ユーザインターフェイス１３は、表示部を構成するＬＣＤ（液晶表示装置）１３ａ、キー制御部１３ｂ、音声処理部１３ｃ、を有している。キー制御部１３ｂは、図示省略のテンキーを含む複数のキー又はスイッチ１３ｄの操作状況を監視してバス１１ｄに送る。音声処理部１３ｃは、音声信号をスピーカ１３ｅに送り、マイク１３ｆからの音声信号を処理する。制御部１１は、ＣＰＵ（中央演算処理装置）１１ａ、ＲＯＭ１１ｂ、ＥＥＰＲＯＭ１１ｃ（エレクトリカリー・イレイサブル・プログラマブル・ＲＯＭ）を有している。ＲＯＭ１１ｂには、ＣＰＵ１１ａの基本動作プログラムがあらかじめ格納されている。ＥＥＰＲＯＭ１１ｃには、処理データ及び後述する食事管理アプリケーションプログラム（食事管理アプリ）１０７が格納されている。
【００５７】
モバイルＥＣカード１２は、バス１１ｄに接続されたモバイルＥＣカードスロット１２ａを介して着脱可能に携帯端末１０に取り付けられる。無線通信部として動作するリモートワイヤレスインターフェイス１５は、アンテナ１５ａに接続され、メニュー情報サーバ４０と通信可能であるとともに、インターネット７０及びモバイルネットワーク８０を介して、サービスサーバ５０と通信可能である。ローカルワイヤレスインターフェイス１４は、メニュー情報端末３０及びサービス端末６０と通信可能である。
【００５８】
図４は、モバイルＥＣカード１２の構成を示すブロック図である。モバイルＥＣカード１２は、ＴＲＭ（Ｔａｍｐｅｒ  Ｒｅｓｉｓｔａｎｔ  Ｍｏｄｕｌｅ）１６と、フラッシュメモリ１７と、ホストインターフェイス１８を有している。ホストインターフェイス１８は、ホストである携帯端末１０のモバイルＥＣカードスロット１２ａを介して携帯端末１０のバス１１ｄに接続される際に用いられる。ＴＲＭ１６は、ＣＰＵ１６ａ、ＲＡＭ１６ｂ、ＲＯＭ１６ｃ、ＥＥＰＲＯＭ１６ｄを有している。
ＴＲＭ１６のＥＥＰＲＯＭ１６ｄには、食事管理カードアプリケーション１００と決済カードアプリケーション１０１が格納されており、ＣＰＵ１６ａによって実行される。食事管理カードアプリケーション１００には、食事管理のノウハウが組み込まれており、また、決済カードアプリケーション１０１には、暗号鍵情報などの決済処理における秘密情報が組み込まれており、ＴＲＭ１６上にあることによって、それらが外部に読み出されるといった不正なアクセスが防止される。
また、フラッシュメモリ１７には、ユーザ状態１０２、食事ルール１０３、食事履歴データベース（ＤＢ）１０４、ユーザメニューデータベース（ＤＢ）１０５、電子レシートデータベース（ＤＢ）１０６が、ＣＰＵ１６ａによって暗号化されて格納されている。電子レシートデータベース１０６は、レストランなどでの食事において代金を支払った際に受け取る電子レシートを格納するものである。
【００５９】
ユーザ状態１０２は、過去２４時間以内に取得した食事のカロリー値、栄養素、取得時刻やユーザ２０の体重などの情報が含まれる。食事ルール１０３には、一日に取得する食事の目標とするカロリー値、栄養素や、アレルギー食材、個人の好み、予算などが所定の記述言語で記載されている。図１２は、食事ルールの記述例を示しており、図１２の場合は個人のために生成された食事ルールを示している。食事履歴データベース１０４には、上記食事情報中の主要な項目について、過去の数週間〜数ヶ月のデータが含まれる。モバイルＥＣカード１２は、ユーザ個人特有のデータを含むものであり、また、同一ユーザであっても、健康管理、病気の治療、ダイエットなど、当該ユーザの食事管理の目的に応じて複数用意することができる。なお、記憶手段として機能するモバイルＥＣカード１２を任意に取り替えることが可能であるので、異なる食事ルール１０３に変更したり、モバイルＥＣカード１２を取り外して、自宅などのパソコン（図示省略）に接続して、食事履歴やユーザ状態１０２を手動で変更したりすることができる。
食事管理アプリ１０７と食事管理カードアプリ１００と食事ルール１０３は、病院や食事管理サービスを提供する事業者が運営するサービスサーバ５０から、有償又は無償でダウンロードすることができる。
【００６０】
図５は、サービスサーバ５０から食事管理アプリ１０７をダウンロードする場合のフローを示している。まず、ユーザ２０がユーザインターフェイス１３を介して食事管理アプリ１０７をダウンロードする操作（▲１▼食事管理アプリ要求操作）を行うと、携帯端末１０の制御部１１はリモートワイヤレスインターフェース１５を介してサービスサーバ５０に食事管理アプリ１０７のダウンロードを要求し（▲２▼食事管理アプリ要求）、次に、サービスサーバ５０から食事管理アプリがダウンロードされ（▲３▼食事管理アプリ）、ＥＥＰＲＯＭ１１ｃに格納される。
図６は、サービスサーバ５０から食事管理カードアプリ１００をダウンロードする場合のフローを示している。まず、ユーザ２０がユーザインターフェイス１３を介して食事管理カードアプリ１００をダウンロードする操作（▲１▼食事管理カードアプリ要求操作）を行うと、携帯端末１０の制御部１１はリモートワイヤレスインターフェース１５を介してサービスサーバ５０に食事管理カードアプリ１００のダウンロードを要求し（▲２▼食事管理カードアプリ要求）、次に、サービスサーバ５０とモバイルＥＣカード１２との間で認証処理が行われ、食事管理カードアプリ１００がダウンロードされ（▲３▼食事管理カードアプリ）、ＥＥＰＲＯＭ１６ｄに格納される。
【００６１】
図７は、サービスサーバ５０から食事ルール１０３をダウンロードする場合のフローを示している。まず、ユーザ２０がユーザインターフェイス１３を介して食事ルール１０３をダウンロードする操作（▲１▼食事ルール要求操作）を行うと、携帯端末１０の制御部１１はリモートワイヤレスインターフェース１５を介してサービスサーバ５０に食事ルール１０３のダウンロードを要求し（▲２▼食事ルール要求）、次に、サービスサーバ５０とモバイルＥＣカード１２との間で認証処理が行われ、食事ルール１０３がダウンロードされ（▲３▼食事ルール）、フラッシュメモリ１７に格納される。
上記では、食事管理アプリ１０７と食事管理カードアプリ１００と食事ルール１０３を個別にダウンロードする場合について説明したが、これを組み合わせて一緒にダウンロードするようにしてもよい。
食事管理アプリ１０７と食事管理カードアプリ１００と食事ルール１０３は、それぞれ、ユーザ２０の健康管理、病気治療、食品アレルギー対策、ダイエット、身体形成などの目的別の定型のものとしてインターネットを介して提供される場合もある。
また、目的別の食事管理カードプログラム１００と食事ルール１０３と食事管理プログラム１０７が、あらかじめ格納されているモバイルＥＣカード１２を購入したり（この場合、食事管理プログラム１０７は、モバイルＥＣカード１２のフラッシュメモリ１７に格納され、モバイルＥＣカード１２を携帯端末１０のモバイルＥＣカードスロット１２ａに挿入することで食事管理プログラム１０７が読み出され、ＥＥＰＲＯＭ１１ｃに格納される）、キオスク端末や、その他のパソコンなどを用いてモバイルＥＣカード１２に食事管理カードプログラム１００や食事ルール１０３をダウンロードするようにしてもよい。
【００６２】
次に、本発明のパーソナル食事管理システムの好ましい実施の形態の使用例について説明する。いま図８に示す携帯端末１０を保持したユーザ２０が、食事をするためにレストランを探しているものとする。レストランの入り口には、メニュー情報端末３０が設置されている。携帯端末１０の食事管理アプリ１０７を起動すると、携帯端末１０のＬＣＤ１３ａには、図１４の（ａ）の画面が表示される。
【００６３】
図１３は、携帯端末１０のＣＰＵ１１ａの動作のうち、メニュー情報端末３０及びメニュー情報サーバ４０との通信処理を示すフローチャートである。まず、ユーザ２０により、図１４（ａ）の「１．メニュー情報取得」が選択されると（ステップＳ１）、ローカルワイヤレスインターフェイス１４を介してメニュー情報端末３０と通信を行い、メニュー情報端末３０からメニューＵＲＬを受信する（ステップＳ２  ▲１▼メニューＵＲＬ）。このとき、メニュー情報端末３０は、メニューＵＲＬの送信を繰り返している。次に、メニューＵＲＬを受信した携帯端末１０は、リモートワイヤレスインターフェイス１５を介して、メニューＵＲＬが示すメニュー情報サーバ４０と通信してメニュー情報を要求し（▲２▼メニュー要求）、メニュー情報サーバ４０からメニュー情報を受信する（ステップＳ３  ▲３▼メニュー情報）。この場合、メニュー情報サーバ４０はレストラン又は情報提供会社によって運営されている。
【００６４】
このメニュー情報は、当該レストランが提供可能な全ての料理について、当該料理の名称、エネルギー量（カロリー値）、たんぱく質・炭水化物・ビタミンなどの各栄養素の含有量、アレルギー性食材名、無農薬などの情報、価格、提供時間帯、調理時間などが所定の記述言語で記載されている。図１１は、１つの料理に関するメニュー情報の記述例を示している。
受信したメニュー情報は、モバイルＥＣカード１２の食事管理カードアプリケーション１００に渡され、ＣＰＵ１６ａが、フラッシュメモリ１７からユーザ状態１０２、食事ルール１０３、食事履歴データベース１０４を読み出し、メニュー情報サーバ４０から取得したメニュー情報の中から推奨メニューを選択して、食事管理アプリケーション１０７に通知し、ＣＰＵ１１ａが推奨メニューを示す表示データを生成して、図１４（ｂ）に示すようにＬＣＤ１３ａに表示する（ステップＳ４  ▲４▼推奨メニュー）。
【００６５】
推奨メニューの生成手法としては、例えば、食事ルール１０３にアレルギー性食材や制限食材として所定の食材が含まれていて、料理のメニュー情報からそのアレルギー食材や制限食材が含まれることがわかる場合は、その料理は推奨メニューから除外され、また、次いで過去の食事の摂取状況から、食事ルール１０３が満たされるようにカロリー値や栄養素のバランスなどを考慮して、複数の料理中の推奨する組み合わせを生成する。推奨する組み合わせは、可能な限り複数とする（図１４（ｂ）では２つの組み合わせが表示されている）。
このとき、推奨する組み合わせを生成できた場合と、できなかった場合とで、スピーカ１３ｅから異なる音を出力し、ユーザ２０が推奨する組み合わせがあったか否かを区別できるようにしてもよい。
【００６６】
ユーザ２０は、図１４（ｂ）の推奨メニューの中に、好みのメニューがあった場合に、そのレストランに入店して、携帯端末１０でＬＣＤ１３ａに表示されたメニューからオーダーするメニューのリンクを選択する。推奨メニューの中に好みのメニューが無かった場合には、ユーザ２０はキャンセル操作をして（ステップＳ５のＮｏ）、別のレストランを探す。オーダーするメニューのリンクを選択すると、ＬＣＤ１３ａには、図１４（ｃ）のオーダー確認画面が表示される。この画面でオーダーを選択すると（ステップＳ５のＹｅｓ）、ＣＰＵ１１ａは、選択されたメニューをオーダーし（▲６▼オーダー）、さらに、モバイルＥＣカード１２の決済カードアプリケーション１０１を起動し、決済カードアプリケーション１０１を連携して決済処理を実行する（ステップＳ６  ▲５▼メニュー選択／決済指示）。すなわち、リモートワイヤレスインターフェイス１５を介してメニュー情報サーバ４０の決済サーバ４３と通信を行い、オーダーと決済処理が行われる（▲７▼決済処理）。
【００６７】
次いで、今回摂取する食事のメニュー情報を用いて、フラッシュメモリ１７に記憶されているユーザ状態１０２と食事履歴データベース１０４とを更新する。ここでは、出された料理を全て摂取したものとして、更新が行われるが、食べ残しをしたり、何らかの理由で食べなかった場合は、後に更新されたデータを修正することができるようにしておくことが好ましい。ステップＳ７を終了すると、処理が全て終了となる。
【００６８】
上記実施の形態は、ユーザ２０がレストランに行って食事をオーダーする場合を例にとり説明したが、本発明は、レストランに限らず、ファーストフード店や、出前対応の食堂や飲食店、社員食堂、調理済みの食品を扱うコンビニエンスストアや、デパートの地下街、ホテル、スーパーなどの小売店に対しても同様に適用可能である。小売店の場合は、あらかじめ複数の食品の複数の組み合わせにより推奨可能な複数のメニューを用意しておく。
【００６９】
なお、上記実施の形態では、食事のメニューを中心に説明したが、お茶、ソフトドリンク、酒類などの飲み物を摂取した場合に、それらのカロリー値や栄養素についての情報をメニュー情報サーバ４０から追加的に取得して、ユーザ状態１０２や食事履歴データベース１０４を更新することもできる。かかる更新を行うには、図１４（ａ）の「５．履歴修正」あるいは、「６．マニュアル入力」を選択することにより、当該モードを起動して行う。
【００７０】
また、更新されたユーザ状態１０２と食事履歴データベース１０４及び食事ルール１０３を、リモートワイヤレスインターフェイス１５を介して、病院や食事管理サービスを提供する事業者が運営するサービスサーバ５０に送信することができる（図８の▲８▼参照）。サービスサーバ５０では、食事ルール生成プログラム又は担当医などがユーザ２０の更新されたユーザ状態１０２と食事履歴データベース１０４に基づいて、必要に応じて食事ルール１０３を変更し、新しい食事ルール１０３を携帯端末１０に送ることができる（図８の▲９▼参照）。携帯端末１０は、新しい食事ルール１０３を受信すると、モバイルＥＣカード１２のフラッシュメモリ１７上の食事ルール１０３を更新する。したがって、その後は新しい食事ルールに基づいてメニューの選択などが行われることとなる。
また、上記で説明した実施の形態では、携帯端末１０はメニュー情報端末３０からメニューＵＲＬを受け取っていたが、図９に示すように、メニュー情報端末３０から直接メニュー情報を受け取るようにしてもよい。
また、レストランのＵＲＬをあらかじめ知っている場合には、図１０示すように、メニュー情報サーバ４０から直接メニュー情報を受け取るようにしてもよい。
【００７１】
ここで本発明の応用例について説明する。モバイルＥＣカード１２を取り外して、制御部１１に格納されている食事管理アプリと同様の食事管理アプリがインストールされているパソコンに挿入すれば、より高機能な食事管理を行うことができる。例えば、前述の食べ残しをしたり、何らかの理由で食べなかった場合は、後にデータを修正するために、パソコンから所定のデータを入力してユーザ状態１０２、食事履歴データベース１０４などを書き替えることができる。
【００７２】
また、食事管理アプリを電子レンジなどの調理家電器具と連動させ、自宅などでの料理時の料理内容や量をユーザ状態１０２と食事履歴データベース１０４に反映させることが可能である。具体的には、調理家電器具にローカルワイヤレスインターフェイスを設け、携帯端末１０のローカルワイヤレスインターフェイス１４との間で通信を行うようにすることができる。また別の方法として、調理家電器具にモバイルＥＣカード１２のスロットを設け、所定のデータを書き込んでから、携帯端末１０に挿入するようにすることもできる。いずれの場合も、調理量が複数人分であるときは、そのままのデータを取り込むと１人分のデータとして不適当であるので、１人分に換算するなどの修正を行う。
【００７３】
また本発明では、レシートを受け取ったときに、その情報からユーザ状態１０２と食事履歴データベース１０４に反映させることが可能である。すなわち紙のレシートの場合、レシートに記載された商品コード番号を携帯端末１０のスイッチ１３ｄを介して入力し、リモートワイヤレスインターフェース１５を介して、所定のサイトからメニュー情報を入手する。また、電子レシートの場合には、モバイルＥＣカード１２のフラッシュメモリ１７上の電子レシートＤＢ１０６に登録されている電子レシートを用いることで、購入した食品の商品コード番号を入力しなくても、上記同様にリモートワイヤレスインターフェース１５を介して、所定サイトから入手できる。入手されたメニュー情報はユーザ状態１０２と食事履歴データベース１０４に反映させることができる。この場合も、必要に応じてデータを修正することができる。
【００７４】
また本発明では、これまでに蓄積したユーザ状態１０２と食事ルール１０３と食事履歴データベース１０４に基づいて、インターネット上のメニュー情報を所定の時間に自動的に検索して、レストランのメニューやお弁当、出前料理などの調理済み食品をユーザ２０に提示して購入を促す、いわゆるコンシェルジュ機能を持たせることができる。また、モバイルＥＣカード１２のユーザメニューデータベース（ＤＢ）１０５に料理のレシピ本や、頻繁に利用するレストランのメニューや出前のメニューの内容をあらかじめ格納しておけば、ユーザ状態１０２と食事ルール１０３に基づいて、各料理のメニュー情報を検索して、最適な食事メニューをユーザ２０に提示することができ、また、オーダーをする場合にも、オンラインで行うことができる。
【００７５】
また本発明は、個人のみならず家庭において家族全員の食事を管理するために用いることができる。携帯端末１０を家族全員が使用することによって、サービスサーバ５０にユーザ状態１０２と食事ルール１０３、食事履歴が登録され、家族全員の食事を管理することができる。このサービスサーバ５０に登録された情報を利用して、家族のそれぞれにとって最適な夕食のメニューを母親に提示するといったことができる。
【００７６】
【発明の効果】
以上説明したように本発明によれば、個人の食事履歴、ユーザ状態、食事ルールをあらかじめ、あるいは順次記憶手段に格納し、外部との通信により外部より入手したメニュー情報と記憶されている食事履歴、ユーザ状態、食事ルールから推奨すべき食事のメニューを選択して、ユーザに提示するようにしたので、所定の目的に応じて過去の食事内容を参酌して、その後の食事のメニューを決めることができる。本発明の他の態様では、上記メニューの決定に加えて、レストランでの食事のオーダーや、代金決済などの事務や金銭管理をも実行することが可能である。さらに本発明の他の態様では、選択して提示されたメニューをオーダーした場合、食事履歴を更新し、これを所定の医療機関などに送信して、新たな食事ルールを得ることができる。
【図面の簡単な説明】
【図１】本発明のパーソナル食事管理システムの好ましい実施の形態のブロック図
【図２】図１中の携帯端末の論理ブロック図
【図３】図１中の携帯端末のハードウェア構造を示すブロック図
【図４】図１及び図２中のモバイルＥＣカードの構成を示すブロック図
【図５】本発明のパーソナル食事管理システムの食事管理アプリのダウンロードのフロー図
【図６】本発明のパーソナル食事管理システムの食事管理カードアプリのダウンロードのフロー図
【図７】本発明のパーソナル食事管理システムの食事ルールのダウンロードのフロー図
【図８】本発明のパーソナル食事管理サービスのフロー図（メニューＵＲＬを利用）
【図９】本発明のパーソナル食事管理サービスのフロー図（メニュー情報をメニュー情報端末から受信する場合）
【図１０】本発明のパーソナル食事管理サービスのフロー図（メニュー情報をメニュー情報サーバから受信する場合）
【図１１】本発明のパーソナル食事管理システムのメニュー情報の一例
【図１２】本発明のパーソナル食事管理システムの食事ルールの一例
【図１３】本発明のパーソナル食事管理システムの携帯端末の処理のフロー図
【図１４】本発明のパーソナル食事管理システムの図１中の携帯端末の画面を示す図であり、
（ａ）食事管理アプリの起動時の画面を示す図
（ｂ）メニュー情報取得による推奨メニュー表示画面を示す図
（ｃ）オーダー確認画面を示す図
【符号の説明】
１０  携帯端末
１１  制御部
１１ａ、１６ａ  ＣＰＵ
１１ｂ、１６ｃ  ＲＯＭ
１１ｃ、１６ｄ  ＥＥＰＲＯＭ
１１ｄ  バス
１２  モバイルＥＣカード
１２ａ  モバイルＥＣカードスロット
１３  ユーザインターフェイス（Ｉ／Ｆ）
１３ａ  ＬＣＤ（液晶表示装置）
１３ｂ  キー制御部
１３ｃ  音声処理部
１３ｄ  スイッチ
１３ｅ  スピーカ
１３ｆ  マイク
１４、３２  ローカルワイヤレスインターフェイス（Ｉ／Ｆ）
１５  リモートワイヤレスインターフェイス（Ｉ／Ｆ）（無線通信部）
１５ａ  アンテナ
１６  ＴＲＭ
１６ｂ  ＲＡＭ
１７  フラッシュメモリ
１８  ホストインターフェイス
２０  ユーザ
３０  メニュー情報端末
４０  メニュー情報サーバ
５０  サービスサーバ
６０  サービス端末
１００  食事管理カードアプリケーション
１０１  決済カードアプリケーション
１０２  ユーザ状態
１０３  食事ルール
１０４  食事履歴データベース（ＤＢ）
１０５  ユーザメニューデータベース（ＤＢ）
１０６  電子レシートデータベース（ＤＢ）
１０７  食事管理アプリケーション
【図１】
2004310205.tif 000003
【図２】
2004310205.tif 000004
【図３】
2004310205.tif 000005
【図４】
2004310205.tif 000006
【図５】
2004310205.tif 000007
【図６】
2004310205.tif 000008
【図７】
2004310205.tif 000009
【図８】
2004310205.tif 000010
【図９】
2004310205.tif 000011
【図１０】
2004310205.tif 000012
【図１１】
2004310205.tif 000013
【図１２】
2004310205.tif 000014
【図１３】
2004310205.tif 000015
【図１４】
2004310205.tif 000016